(57)【要約】【課題】圧縮機の吐出冷媒圧力が圧縮機停止の圧力にまで上昇するのを回避することができ、空調性を確保することができる空気調和装置及び空気調和装置の制御方法を提供する。【解決手段】ガスエンジン３０に直結された第１の圧縮機３ａ及びガスエンジン３０にクラッチ３１を介して接離される第２の圧縮機３ｂ並びに室外熱交換器４を有する室外ユニット１と、室内熱交換器６ａ，６ｂを有する複数台の室内ユニット２ａ，２ｂとがユニット間配管１０で接続され、室内ユニット毎に冷房運転或いは暖房運転を行えるように構成された空気調和装置において、凝縮器として機能している室外熱交換器４を蒸発器として機能させる際に、クラッチ３１がオン状態である場合、ガスエンジン３０の回転数を所定回転数ｒ０以下に制限し、クラッチ３１をオフにする制御装置４０を備えた。【選択図】      図１
2005009726.tif 000002
【特許請求の範囲】
【請求項１】
エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置において、
凝縮器として機能している前記室外熱交換器を蒸発器として機能させる際に、前記クラッチがオン状態である場合、前記エンジンの回転数を所定回転数以下に制限する第１の制御手段と、
前記第１の制御手段により前記エンジンの回転数が前記所定回転数以下に制限された状態で、前記クラッチをオフにする第２の制御手段とを備えたことを特徴とする空気調和装置。
【請求項２】
請求項１に記載の空気調和装置において、
凝縮器として機能している前記室外熱交換器を蒸発器として機能させる際に、前記クラッチがオフ状態である場合、前記第１の圧縮機及び前記第２の圧縮機の冷媒の吐出側における吐出冷媒圧力が、圧縮機停止の圧力に至るのが予測される所定圧力以上であるか否かを判断する圧力判断手段と、
前記圧力判断手段による判断の結果、前記吐出冷媒圧力が、前記所定圧力以上である場合、前記エンジンの回転数を前記所定回転数以下に制限する第３の制御手段とを備えたことを特徴とする空気調和装置。
【請求項３】
エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置において、
凝縮器として機能している前記室外熱交換器を蒸発器として機能させる際に、前記第１の圧縮機及び前記第２の圧縮機の冷媒の吐出側における吐出冷媒圧力が、圧縮機停止の圧力に至るのが予測される所定圧力以上であるか否かを判断する圧力判断手段と、
前記圧力判断手段による判断の結果、前記吐出冷媒圧力が、前記所定圧力以上である場合、前記エンジンの回転数を所定回転数以下に制限する第１の制御手段と、
前記第１の制御手段により前記エンジンの回転数が前記所定回転数以下に制限され、且つ、前記クラッチがオン状態である場合、前記クラッチをオフにする第２の制御手段とを備えたことを特徴とする空気調和装置。
【請求項４】
エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置の制御方法において、
凝縮器として機能している前記室外熱交換器を蒸発器として機能させる際に、前記クラッチがオン状態である場合、前記エンジンの回転数を所定回転数以下に制限する第１の制御過程と、
前記第１の制御過程において前記エンジンの回転数が前記所定回転数以下に制限された後、前記クラッチをオフにする第２の制御過程とを備えたことを特徴とする空気調和装置の制御方法。
【請求項５】
請求項４に記載の空気調和装置の制御方法において、
凝縮器と機能している前記室外熱交換器を蒸発器として機能させる際に、前記クラッチがオフ状態である場合、前記第１の圧縮機及び前記第２の圧縮機の冷媒の吐出側における吐出冷媒圧力が、圧縮機停止の圧力に至るのが予測される所定圧力以上であるか否かを判断する圧力判断過程と、
前記圧力判断過程における判断の結果、前記吐出冷媒圧力が、前記所定圧力以上である場合、前記エンジンの回転数を前記所定回転数以下に制限する第３の制御過程とを備えたことを特徴とする空気調和装置の制御方法。
【請求項６】
エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置の制御方法において、
凝縮器として機能している前記室外熱交換器を蒸発器として機能させる際に、前記第１の圧縮機及び前記第２の圧縮機の冷媒の吐出側における吐出冷媒圧力が、圧縮機停止の圧力に至るのが予測される所定圧力以上であるか否かを判断する圧力判断過程と、
前記圧力判断過程における判断の結果、前記吐出冷媒圧力が、前記所定圧力以上である場合、前記エンジンの回転数を所定回転数以下に制限する第１の制御過程と、
前記第１の制御過程において前記エンジンの回転数が前記所定回転数以下に制限され、且つ、前記クラッチがオン状態である場合、前記クラッチをオフにする第２の制御過程とを備えたことを特徴とする空気調和装置の制御方法。
【発明の詳細な説明】
【０００１】
【発明の属する技術分野】
本発明は、エンジンを駆動源とする複数台の圧縮機を有する室外ユニットと室内ユニットとが高圧ガス管、低圧ガス管及び液管を有するユニット配管により接続された空気調和装置及び空気調和装置の制御方法に関する。
【０００２】
【従来の技術】
一般に、複数台の圧縮機及び室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置が知られている（例えば、特許文献１参照。）。
【０００３】
この種の空気調和装置において、上記複数台の圧縮機は、エンジンを駆動源とし、エンジンに直結された第１の圧縮機及びエンジンにクラッチを介して接離される第２の圧縮機で構成されるものが知られている。
【０００４】
そして、上記空気調和装置では、室内ユニットの負荷に応じて、凝縮器として機能している室外熱交換器を蒸発器させ、或いは蒸発器として機能している室外熱交換器を凝縮器として機能させる制御を行っている。
【０００５】
【特許文献１】
特許第２７６５９７０号公報
【０００６】
【発明が解決しようとする課題】
上記空気調和装置において、凝縮器として機能している室外熱交換器を蒸発器として機能させる際は、室外熱交換器の冷媒出入口を閉鎖し、室外熱交換器に隣設した室外ファンにより室外熱交換器内の冷媒を外気温程度にまで冷却する制御を行っている。そして、室外熱交換器を蒸発器に切り替えた直後は、通常の運転時の蒸発器の冷媒出口圧力（例えば、０．５ＭＰａ）よりも高い圧力の冷媒が圧縮機に戻されることがある。
【０００７】
従って、圧縮機の吐出冷媒圧力が上昇するような条件の下で室内ユニット側の負荷に応じて室外熱交換器を凝縮器から蒸発器に切り替える場合、圧縮機の吸込冷媒圧力が上昇するので、圧縮機の吐出冷媒圧力が、全ての圧縮機を停止させる制御を行う圧縮機停止の圧力（例えば、２．８ＭＰａ）にまで上昇することがあるという問題がある。
【０００８】
このように、圧縮機の吐出冷媒圧力が圧縮機停止の圧力以上となった場合、圧縮機を保護するために、全ての圧縮機を所定時間（例えば、３分間）停止させる制御を行っているが、この全ての圧縮機を停止させている所定時間内は、空調運転ができなくなってしまい、空調性が低いものとなってしまうという問題がある。更に、所定時間経過後、圧縮機の運転が再開されても、再び、冷媒回路における最適な熱バランスを実現するまでに時間がかかってしまい、空調性が低いものとなってしまうという問題がある。
【０００９】
本発明の目的は、上述の事情を考慮してなされたものであり、凝縮器として機能している室外熱交換器を蒸発器として機能させる際に、圧縮機の吐出冷媒圧力が圧縮機停止の圧力にまで上昇するのを回避し、空調性を確保することができる空気調和装置及び空気調和装置の制御方法を提供することにある。
【００１０】
【課題を解決するための手段】
請求項１に記載の発明は、エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置において、凝縮器として機能している前記室外熱交換器を蒸発器として機能させる際に、前記クラッチがオン状態である場合、前記エンジンの回転数を所定回転数以下に制限する第１の制御手段と、前記第１の制御手段により前記エンジンの回転数が前記所定回転数以下に制限された状態で、前記クラッチをオフにする第２の制御手段とを備えたことを特徴とするものである。
【００１１】
請求項２に記載の発明は、請求項１に記載の発明において、凝縮器として機能している前記室外熱交換器を蒸発器として機能させる際に、前記クラッチがオフ状態である場合、前記第１の圧縮機及び前記第２の圧縮機の冷媒の吐出側における吐出冷媒圧力が、圧縮機停止の圧力に至るのが予測される所定圧力以上であるか否かを判断する圧力判断手段と、前記圧力判断手段による判断の結果、前記吐出冷媒圧力が、前記所定圧力以上である場合、前記エンジンの回転数を前記所定回転数以下に制限する第３の制御手段とを備えたことを特徴とするものである。
【００１２】
請求項３に記載の発明は、エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置において、凝縮器として機能している前記室外熱交換器を蒸発器として機能させる際に、前記第１の圧縮機及び前記第２の圧縮機の冷媒の吐出側における吐出冷媒圧力が、圧縮機停止の圧力に至るのが予測される所定圧力以上であるか否かを判断する圧力判断手段と、前記圧力判断手段による判断の結果、前記吐出冷媒圧力が、前記所定圧力以上である場合、前記エンジンの回転数を所定回転数以下に制限する第１の制御手段と、前記第１の制御手段により前記エンジンの回転数が前記所定回転数以下に制限され、且つ、前記クラッチがオン状態である場合、前記クラッチをオフにする第２の制御手段とを備えたことを特徴とするものである。
【００１３】
請求項４に記載の発明は、エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置の制御方法において、凝縮器として機能している前記室外熱交換器を蒸発器として機能させる際に、前記クラッチがオン状態である場合、前記エンジンの回転数を所定回転数以下に制限する第１の制御過程と、前記第１の制御過程において前記エンジンの回転数が前記所定回転数以下に制限された後、前記クラッチをオフにする第２の制御過程とを備えたことを特徴とするものである。
【００１４】
請求項５に記載の発明は、請求項４に記載の発明において、凝縮器と機能している前記室外熱交換器を蒸発器として機能させる際に、前記クラッチがオフ状態である場合、前記第１の圧縮機及び前記第２の圧縮機の冷媒の吐出側における吐出冷媒圧力が、圧縮機停止の圧力に至るのが予測される所定圧力以上であるか否かを判断する圧力判断過程と、前記圧力判断過程における判断の結果、前記吐出冷媒圧力が、前記所定圧力以上である場合、前記エンジンの回転数を前記所定回転数以下に制限する第３の制御過程とを備えたことを特徴とするものである。
【００１５】
請求項６に記載の発明は、エンジンに直結された第１の圧縮機及び前記エンジンにクラッチを介して接離される第２の圧縮機並びに室外熱交換器を有する室外ユニットと、室内熱交換器を有する複数台の室内ユニットとが高圧ガス管、低圧ガス管及び液管を有するユニット間配管で接続され、室内ユニット毎に冷房運転或いは暖房運転を行えるように構成された空気調和装置の制御方法において、凝縮器として機能している前記室外熱交換器を蒸発器として機能させる際に、前記第１の圧縮機及び前記第２の圧縮機の冷媒の吐出側における吐出冷媒圧力が、圧縮機停止の圧力に至るのが予測される所定圧力以上であるか否かを判断する圧力判断過程と、前記圧力判断過程における判断の結果、前記吐出冷媒圧力が、前記所定圧力以上である場合、前記エンジンの回転数を所定回転数以下に制限する第１の制御過程と、前記第１の制御過程において前記エンジンの回転数が前記所定回転数以下に制限され、且つ、前記クラッチがオン状態である場合、前記クラッチをオフにする第２の制御過程とを備えたことを特徴とするものである。
【００１６】
【発明の実施の形態】
以下、本発明の実施の形態を、図面に基づき説明する。
【００１７】
［１］第１の実施の形態
図１は、本発明に係る空気調和装置の第１の実施の形態を示す冷媒回路図等である。この空気調和装置５０は、室外ユニット１と複数台（本実施の形態では、２台）の室内ユニット２ａ，２ｂとを有して構成される。
【００１８】
室外ユニット１は、圧縮機３及び室外熱交換器４を備えている。圧縮機３は、図２に示すように、並列に接続された複数台（本実施の形態では、２台）の圧縮機（第１の圧縮機３ａ及び第２の圧縮機３ｂ）を備えている。本実施の形態では、圧縮機３は、第１の圧縮機３ａ及び第２の圧縮機３ｂから成るツインコンプレッサである。第１の圧縮機３ａと第２の圧縮機３ｂとは、最大容量（定格容量）が同じものである。
【００１９】
圧縮機３ａ，３ｂは、エンジンとしてのガスエンジン３０を駆動源としている。第１の圧縮機３ａは、ガスエンジン３０に直結される。また、第２の圧縮機３ｂは、ガスエンジンにクラッチ３１を介して接離される。具体的に説明すると、ガスエンジン３０には、エンジンプーリ３２が接続され、第１の圧縮機３ａには、第１のプーリ３３が接続され、第２の圧縮機３ｂには、クラッチ３１を介して第２のプーリ３４が接続される。そして、エンジンプーリ３２、第１のプーリ３３及び第２のプーリ３４にはベルト３５が巻回されている。
【００２０】
第１の圧縮機３ａは、空気調和装置５０の運転動作時は、常時、ガスエンジン３０により駆動される。また、第２の圧縮機３ｂは、クラッチ３１がオン状態（入り状態）のときのみガスエンジン３０により駆動される。つまり、クラッチ３１がオン状態（入り状態）のとき、第１の圧縮機３ａ及び第２の圧縮機３ｂの２台がガスエンジン３０により駆動され、クラッチ３１がオフ状態（切り状態）のとき、第１の圧縮機３ａの１台のみがガスエンジン３０により駆動される。
【００２１】
室外熱交換器４には、図１に示すように、室外ファン５が隣接して配置されている。室外熱交換器４は、複数台（本実施の形態では、２台）の室外熱交換器４ａ，４ｂから成り、第１の室外熱交換器４ａと第２の室外熱交換器４ｂは、並列接続されている。本実施の形態では、第１の室外熱交換器４ａと第２の室外熱交換器４ｂとは、熱交換容量（定格熱交換容量）が異なる。つまり、第２の室外熱交換器４ｂは、第１の室外熱交換器４ａよりも熱交換容量（定格熱交換容量）が小さい。ここで、定格熱交換容量とは、熱交換器の最大熱交換容量のことである。
【００２２】
また、室内ユニット２ａ，２ｂは、室内熱交換器６ａ，６ｂ及び室内電子膨張弁１８ａ，１８ｂを備えている。室内熱交換器６ａ，６ｂのそれぞれには、室内ファン９ａ，９ｂのそれぞれが隣接して配置される。
【００２３】
そして、室外ユニット１と室内ユニット２ａ，２ｂとが、高圧ガス管１１、低圧ガス管１２及び液管１３を有するユニット間配管１０により接続されて、空気調和装置５０は、室内ユニット２ａ，２ｂを同時に冷房運転もしくは暖房運転可能とし、または、冷房運転と暖房運転とを混在して実施可能とする。つまり、室内ユニット２ａ，２ｂ毎に冷房運転或いは暖房運転を行えるように構成されている。
【００２４】
室外ユニット１では、室外熱交換器４の一端が、圧縮機３の冷媒吐出管７と冷媒吸込管８とに、択一に分岐して接続されている。
【００２５】
具体的には、第１の室外熱交換器４ａの一端が、圧縮機３の冷媒吐出管７に吐出側電磁弁２１ａを介して接続されるとともに、圧縮機３の冷媒吸込管８に吸込側電磁弁２２ａを介して接続される。また、第２の室外熱交換器４ｂの一端が、圧縮機３の冷媒吐出管７に吐出側電磁弁２１ｂを介して接続されるとともに、圧縮機３の冷媒吸込管８に吸込側電磁弁２２ｂを介して接続される。
【００２６】
そして、ユニット間配管１０の高圧ガス管１１は、圧縮機３の冷媒吐出管７に接続される。また、低圧ガス管１２は、圧縮機３の冷媒吸込管８に接続される。また、液管１３は、室外電子膨張弁２７ａ，２７ｂのそれぞれを介して室外熱交換器４ａ，４ｂのそれぞれの他端に接続される。
【００２７】
冷媒吸込管８には、アキュムレータ２４が配設され、冷媒吐出管７には、オイルセパレータ２５が配設されている。また、冷媒吐出管７と冷媒吸込管８とをバイパスする高低圧バイパス弁（電動弁）２３が設けられている。また、液管１３には、レシーバタンク２６が配設されている。
【００２８】
上記室内ユニット２ａの室内熱交換器６ａは、その一端が、高圧ガス分岐管１４ａを介して高圧ガス管１１に接続されるとともに、低圧ガス分岐管１５ａを介して低圧ガス管１２に接続される。また、室内ユニット２ｂの室内熱交換器６ｂは、その一端が、高圧ガス分岐管１４ｂを介して高圧ガス管１１に接続されるとともに、低圧ガス分岐管１５ｂを介して低圧ガス管１２に接続される。
【００２９】
高圧ガス分岐管１４ａ，１４ｂのそれぞれに、第１開閉弁（第１電磁開閉弁）１６ａ，１６ｂが配設される。また、低圧ガス分岐管１５ａ，１５ｂのそれぞれに、第２開閉弁（第２電磁開閉弁）１７ａ，１７ｂが配設される。
【００３０】
また、上記室内ユニット２ａ，２ｂのそれぞれの室内熱交換器６ａ，６ｂは、それらの他端が、室内電子膨張弁１８ａを配設した液分岐管１９ａ、室内電子膨張弁１８ｂを配設した液分岐管１９ｂを介して液管１３にそれぞれ接続される。
【００３１】
第１開閉弁１６ａ，１６ｂ、第２開閉弁１７ａ，１７ｂのそれぞれは、電磁弁ユニット２０ａ，２０ｂのそれぞれに格納されている。
【００３２】
圧縮機３の冷媒吐出管７には、圧縮機３の吐出冷媒圧力を検出するための圧力センサ４１が設けられている。
【００３３】
室外ユニット１には、空気調和装置５０全体を制御する制御装置４０が備えられている。
【００３４】
具体的には、制御装置４０は、圧縮機３の容量、室外電子膨張弁２７ａ，２７ｂの弁開度、吐出側電磁弁２１ａ，２１ｂの弁開閉、吸込側電磁弁２２ａ，２２ｂの弁開閉、室外ファン５の回転数、及び高低圧バイパス弁２３の開度等を制御する。また、制御装置４０は、室内電子膨張弁１８ａ，１８ｂの弁開度、電磁弁ユニット２０ａ，２０ｂ及び室内ファン９ａ，９ｂ等を制御する。
【００３５】
圧縮機３の容量は、ガスエンジン３０（図２）の回転数、及び圧縮機３ａ，３ｂの運転台数で制御される。つまり、制御装置４０は、ガスエンジン３０の回転数、及び圧縮機３ａ，３ｂの運転台数（即ち、クラッチ３１のオンオフ）を制御することにより、圧縮機３の容量を制御する。
【００３６】
図３は、圧縮機３の容量制御を示すグラフである。ここで、第１の圧縮機３ａ、第２の圧縮機３ｂの最大容量をＰ（例えば、１０馬力）、第１の圧縮機３ａ、第２の圧縮機３ｂを最大容量Ｐで運転する場合のガスエンジン３０の回転数をｒ（例えば、２８００ｒｐｍ）とする。
【００３７】
圧縮機３に要求される容量が第１の圧縮機３ａの最大容量Ｐよりも小さい場合、制御装置４０は、クラッチ３１をオフにし、第１の圧縮機３ａの容量が要求される容量となるように、ガスエンジン３０の回転数を制御する。このように、クラッチ３１がオフ状態のときのガスエンジン３０の回転数に対する圧縮機３の容量は、図３中、直線Ｃ０のような関係にある。
【００３８】
次に、圧縮機３に要求される容量が、容量Ｐである場合、制御装置４０は、ガスエンジン３０の回転数をｒ／２（例えば、１４００ｒｐｍ）に設定し、且つ、クラッチ３１をオンにする。
【００３９】
そして、圧縮機３に要求される容量が第１の圧縮機３ａの最大容量Ｐよりも大きい場合、制御装置４０は、クラッチ３１はオンに保持し、第１の圧縮機３ａと第２の圧縮機３ｂとの合計容量が要求される容量となるように、ガスエンジン３０の回転数を制御する。このように、クラッチ３１がオン状態のときのガスエンジン３０の回転数に対する圧縮機３の容量は、図３中、直線Ｃ１のような関係にある。
【００４０】
ここで、ガスエンジン３０の回転数がクラッチ３１をオンオフ操作するには高すぎる場合、クラッチ３１の磨耗や損傷等の不具合が生じてしまうことがある。従って、クラッチ３１のオンオフ操作を行う場合、制御装置４０は、ガスエンジン３０の回転数を所定回転数ｒ０（例えば、１２００ｒｐｍ）以下に制限し、クラッチ３１のオンオフ操作を行うようにしている。これによって、クラッチ３１の寿命を延ばすことができる。
【００４１】
特に、クラッチ３１のオンオフ操作は、ガスエンジン３０の回転数が、所定回転数ｒ０よりも小さく、且つ、空調性を損なわない第２の所定回転数ｒ１（例えば、８００ｒｐｍ）以上であるのが好ましい。つまり、クラッチ３１のオンオフ操作は、ガスエンジン３０の回転数が、第２の所定回転数ｒ１以上であり、所定回転数ｒ０以下であるのが好ましい。
【００４２】
図１中、室外電子膨張弁２７ａ，２７ｂおよび室内電子膨張弁１８ａ，１８ｂは、例えば不図示のステッピングモータによって弁開度が調整される。そして、例えば、ステッピングモータへ入力されるパルス（ステップ）が、例えば、２０ステップのときが全閉、４８０ステップのときが全開となるように設定されている。
【００４３】
また、制御装置４０は、冷媒吐出管７の吐出冷媒圧力を検出する（吐出冷媒圧力検出手段）。具体的には、制御装置４０は、圧力センサ４１により冷媒吐出管７の吐出冷媒圧力を検出している。
【００４４】
そして、制御装置４０は、この検出した吐出冷媒圧力が圧縮機３を停止させる圧力（圧縮機停止の圧力）以上となる場合、圧縮機３を所定時間（例えば、３分間）停止させる制御を行っている。つまり、冷媒吐出管７の吐出冷媒圧力が圧縮機停止の圧力以上となる状態のまま圧縮機３の運転を継続した場合、空気調和装置５０を構成する各種機器（特に、圧縮機３）が破損する恐れがあるためである。圧縮機停止の圧力は、例えば、２．８ＭＰａである。このように、吐出冷媒圧力が圧縮機停止の圧力以上となる場合、圧縮機３が所定時間に亘って停止するので、空気調和装置５０を構成する各種機器（特に、圧縮機３）が破損するのを回避することができる。
【００４５】
次に空気調和装置５０の運転動作を説明する。
【００４６】
（Ａ）全室内ユニット２ａ，２ｂを同時に冷房運転する場合は、高圧ガス管１１が休止状態におかれる。
【００４７】
この場合、制御装置４０は、吐出側電磁弁２１ａ，２１ｂを開くとともに吸込側電磁弁２２ａ，２２ｂを閉じ、且つ電磁弁ユニット２０ａ，２０ｂの第１開閉弁１６ａ，１６ｂを閉じるとともに、第２開閉弁１７ａ，１７ｂを開く。更に、制御装置４０は、室外電子膨張弁２７ａ，２７ｂを略全開（全開を含む）に制御するとともに、室内電子膨張弁１８ａ，１８ｂの開度を制御する。つまり、室外熱交換器４ａ，４ｂを凝縮器として機能させるとともに、室内熱交換器６ａ，６ｂを蒸発器として機能させている。
【００４８】
これにより、圧縮機３から吐出された冷媒は、冷媒吐出管７、オイルセパレータ２５、吐出側電磁弁２１ａ，２１ｂ、室外熱交換器４ａ，４ｂへと順次流れ、室外熱交換器４ａ，４ｂで凝縮液化する。凝縮液化した冷媒は、室外電子膨張弁２７ａ，２７ｂ及びレシーバタンク２６を通過し、液管１３と液分岐管１９ａ，１９ｂを経て各室ユニット２ａ，２ｂの室内電子膨張弁１８ａ，１８ｂに分配され、ここで減圧される。
【００４９】
しかる後、室内電子膨張弁１８ａ，１８ｂで減圧された冷媒は、各室内熱交換器６ａ，６ｂで蒸発気化した後、それぞれ第２開閉弁１７ａ，１７ｂを流れ、低圧ガス管１２、冷媒吸込管８、アキュムレータ２４を順次経て圧縮機３に吸入される。
【００５０】
このように、蒸発器として機能する各室内熱交換器６ａ，６ｂで全室内ユニット２ａ，２ｂが同時に冷房運転される。
【００５１】
（Ｂ）全室内ユニット２ａ，２ｂを同時に暖房運転する場合は、低圧ガス管１２が休止状態におかれる。
【００５２】
この場合、制御装置４０は、吐出側電磁弁２１ａ，２１ｂを閉じるとともに、吸込側電磁弁２２ａ，２２ｂを開き、且つ電磁弁ユニット２０ａ，２０ｂの第１開閉弁１６ａ，１６ｂを開くとともに、第２開閉弁１７ａ，１７ｂを閉じる。更に、制御装置４０は、室内電子膨張弁１８ａ，１８ｂを略全開（全開を含む）に制御するとともに、室外電子膨張弁２７ａ，２７ｂの開度を制御する。つまり、室外熱交換器４ａ，４ｂを蒸発器として機能させるとともに、室内熱交換器６ａ，６ｂを凝縮器として機能させている。
【００５３】
これにより、圧縮機３から吐出された冷媒は、冷媒吐出管７、オイルセパレータ２５、高圧ガス管１１を順次経て高圧ガス分岐管１４ａ，１４ｂに分配された後、第１開閉弁１６ａ，１６ｂ、室内熱交換器６ａ，６ｂへと流れ、ここでそれぞれ凝縮液化する。
【００５４】
凝縮液化した冷媒は、液分岐管１９ａ，１９ｂを経て液管１３で合流される。
【００５５】
しかる後、液管１３の液冷媒は、レシーバタンク２６を通過し、各室外電子膨張弁２７ａ，２７ｂで減圧された後、各室外熱交換器４ａ，４ｂで蒸発気化する。この蒸発気化した冷媒は、吸込側電磁弁２２ａ，２２ｂ、冷媒吸込管８、アキュムレータ２４を順次経て圧縮機３に吸入される。このように凝縮器として機能する各室内熱交換器６ａ，６ｂで、全室内ユニット２ａ，２ｂが同時に暖房運転される。
【００５６】
（Ｃ）次に、例えば室内ユニット２ａを冷房運転し、室内ユニット２ｂを暖房運転する場合は、ユニット間配管１０のうち、全ての冷媒管１１，１２，１３が使用される。まず、室内ユニット２ａ側の冷房負荷が室内ユニット２ｂ側の暖房負荷よりも大きい場合について説明する。
【００５７】
この場合、制御装置４０は、吐出側電磁弁２１ａ，２１ｂを開くとともに吸込側電磁弁２２ａ，２２ｂを閉じ、且つ、冷房運転する室内ユニット２ａの電磁弁ユニット２０ａにおける第１開閉弁１６ａを閉じるとともに、第２開閉弁１７ａを開き、且つ暖房運転する室内ユニット２ｂの電磁弁ユニット２０ｂにおける第１開閉弁１６ｂを開くとともに、第２開閉弁１７ｂとを閉じる。更に、制御装置４０は、室外電子膨張弁２７ａ，２７ｂ及び室内電子膨張弁１８ｂを略全開（全開を含む）に制御するとともに、室内電子膨張弁１８ａの開度を制御する。つまり、室外熱交換器４ａ，４ｂ及び室内熱交換器６ｂを凝縮器として機能させるとともに、室内熱交換器６ａを蒸発器として機能させている。
【００５８】
すると、圧縮機３から吐出され、冷媒吐出管７及びオイルセパレータ２５を通過した冷媒の一部が、吐出側電磁弁２１ａ，２１ｂを経て室外熱交換器４ａ，４ｂに流れるとともに、残りの冷媒が高圧ガス管１１を経て暖房運転する室内ユニット２ｂの電磁弁ユニット２０ｂにおける第１開閉弁１６ｂ、室内熱交換器６ｂへと流れる。これによって、冷媒が室外熱交換器４ａ，４ｂ及び室内熱交換器６ｂで凝縮液化される。
【００５９】
そして、室外熱交換器４ａ，４ｂ及び室内熱交換器６ｂで凝縮液化された冷媒は、液管１３を経て室内ユニット２ａの室内電子膨張弁１８ａで減圧された後、室内熱交換器６ａで蒸発気化される。しかる後、冷媒は、第２開閉弁１７ａを流れて低圧ガス管１２、冷媒吸込管８、アキュムレータ２４を順次経て圧縮機３に吸入される。このように、凝縮器として機能する室内熱交換器６ｂで室内ユニット２ｂが暖房運転され、蒸発器として機能する室内熱交換器６ａで室内ユニット２ａが冷房運転される。
【００６０】
（Ｄ）次に、室内ユニット２ｂ側の暖房負荷が室内ユニット２ａ側の冷房負荷よりも大きい場合について説明する。
【００６１】
この場合、制御装置４０は、吐出側電磁弁２１ａ，２１ｂを閉じるとともに吸込側電磁弁２２ａ，２２ｂを開き、且つ冷房運転する室内ユニット２ａの電磁弁ユニット２０ａにおける第１開閉弁１６ａを閉じるとともに、第２開閉弁１７ａを開き、且つ暖房運転する室内ユニット２ｂの電磁弁ユニット２０ｂにおける第１開閉弁１６ｂを開くとともに、第２開閉弁１７ｂを閉じる。更に、制御装置４０は、室内電子膨張弁１８ｂを略全開（全開を含む）に制御するとともに、室外電子膨張弁２７ａ，２７ｂ及び室内電子膨張弁１８ａの開度を制御する。つまり、室内熱交換器６ｂを凝縮器として機能させるとともに、室外熱交換器４ａ，４ｂ及び室内熱交換器６ａを蒸発器として機能させている。
【００６２】
すると、圧縮機３から吐出された冷媒は、冷媒吐出管７、高圧ガス管１１を順次経て第１開閉弁１６ｂを通過して室内熱交換器６ｂで凝縮液化される。
【００６３】
そして、この液化された冷媒は、略全開された室内電子膨張弁１８ｂを経て液管１３に流れる。この液管中の液冷媒の一部が、室内電子膨張弁１８ａで減圧された後に室内熱交換器６ｂで、且つ、残りの液冷媒が室外電子膨張弁２７ａ，２７ｂで減圧された後に室外熱交換器４ａ，４ｂでそれぞれ蒸発気化され、冷媒吸込管８、アキュムレータ２４を順次経て圧縮機３に吸入される。このように、凝縮器として機能する室内熱交換器６ｂで室内ユニット２ｂが暖房運転され、蒸発器として機能する室内熱交換器６ａで室内ユニット２ａが冷房運転される。
【００６４】
以上の如く、冷房運転する室内ユニット２ａ側の冷房負荷が、暖房運転する室内ユニット２ｂ側の暖房負荷よりも大きいときは、室外熱交換器４ａ，４ｂを凝縮器として機能させる。一方、冷房する室内ユニット２ａ側の冷房負荷が、暖房する室内ユニット２ｂ側の暖房負荷よりも小さいときは、室外熱交換器４ａ，４ｂを蒸発器として機能させる。従って、任意の室内ユニット２ａ，２ｂを自由に冷暖房することができる。
【００６５】
（Ｅ）上記（Ａ）〜（Ｄ）に示した運転状態において、室内ユニット２ａ，２ｂ側の冷房負荷と暖房負荷との差が第１のしきい値を下回る場合、制御装置４０は、第１の室外熱交換器４ａを凝縮器或いは蒸発器に機能させ、且つ、第２の室外熱交換器４ｂを休止状態にする制御を行う。
【００６６】
そして、室内ユニット２ａ，２ｂ側の冷房負荷と暖房負荷との差が第１のしきい値よりも小さい第２のしきい値を下回る場合、制御装置４０は、第１の室外熱交換器４ａを休止状態にし、且つ、第２の室外熱交換器４ｂを凝縮器或いは蒸発器として機能させる制御を行う。
【００６７】
第１の室外熱交換器４ａを休止させる場合、制御装置４０は、室外電子膨張弁２７ａを略全閉（全閉を含む。）に制御するとともに、吐出側電磁弁２１ａ及び吸込側電磁弁２２ａを閉弁する制御を行う。また、第２の室外熱交換器４ｂを休止させる場合、制御装置４０は、室外電子膨張弁２７ｂを略全閉（全閉を含む。）に制御するとともに、吐出側電磁弁２１ｂ及び吸込側電磁弁２２ｂを閉弁する制御を行う。
【００６８】
尚、上記（Ａ）に示した運転状態おいて、室内ユニット２ａ，２ｂは、冷房運転を行っているので、暖房負荷は０である。また、上記（Ｂ）に示した運転状態おいて、室内ユニット２ａ，２ｂは、暖房運転を行っているので、冷房負荷は０である。
【００６９】
（Ｆ）更に、室内ユニット２ａ，２ｂの冷房負荷と暖房負荷とが同じ場合、制御装置４０は、第１の室外熱交換器４ａ及び第２の室外熱交換器４ｂを休止させる。つまり、制御装置４０は、室外電子膨張弁２７ａ及び２７ｂを略全閉（全閉を含む。）に制御するとともに、吐出側電磁弁２１ａ，２１ｂ及び吸込側電磁弁２２ａ、２２ｂを閉弁する制御を行う。
【００７０】
ところで、上記（Ｃ）に示す運転状態から上記（Ｄ）に示す運転状態に切り替える際、即ち、室内ユニット２ａ，２ｂの空調負荷が変化して凝縮器として機能している室外熱交換器４を蒸発器として機能させる際、制御装置４０は、吐出側電磁弁２１ａ，２１ｂ及び吸込側電磁弁２２ａ，２２ｂを閉弁制御し、室外電子膨張弁２７ａ，２７ｂを略全閉（全閉を含む。）に制御することで室外熱交換器４ａ，４ｂの冷媒出入口を閉鎖し、室外熱交換器４ａ，４ｂに隣接配置した室外ファン５により室外熱交換器４ａ，４ｂ内の冷媒を外気温（例えば、２０℃）程度にまで冷却する制御を行う。この室外熱交換器４ａ，４ｂの冷媒出入口を閉鎖し、室外熱交換器４ａ，４ｂに隣接配置した室外ファン５により室外熱交換器４ａ，４ｂ内の冷媒を外気温（例えば、２０℃）程度にまで冷却する制御は、予め設定された熱交換器冷却期間内に行われる。つまり、この熱交換器冷却期間は、室外熱交換器４ａ，４ｂの冷媒出入口を閉鎖してから、室外熱交換器４ａ，４ｂを蒸発器として機能させる制御を行うまでの期間である。
【００７１】
次いで、制御装置４０は、吸込側電磁弁２２ａ，２２ｂを開弁制御するとともに、室外電子膨張弁２７ａ，２７ｂの開度を制御することで、室外熱交換器４ａ，４ｂを蒸発器として機能させる制御を行う。
【００７２】
ここで、通常、蒸発器として機能している室外熱交換器４ａ，４ｂの冷媒出口の冷媒圧力は、外気温の飽和圧力よりも低い圧力（例えば、０．５ＭＰａ）にまで低下していることになるが、室外熱交換器４ａ，４ｂの機能を蒸発器に切り替えた直後、室外熱交換器４ａ，４ｂの冷媒出口の冷媒圧力は、外気温の飽和圧力程度である。
【００７３】
仮に、室外熱交換器４ａ，４ｂの機能を蒸発器に切り替えた直後、室内ユニット２ａ，２ｂ側の空調負荷に応じて圧縮機３の容量を制御した場合、吸込冷媒圧力が急上昇するので、圧縮機３の冷媒吐出管７における吐出冷媒圧力が急激に上昇し、吐出冷媒圧力が圧縮機停止の圧力（例えば、２．８ＭＰａ）に至り、圧縮機３を所定時間（例えば、３分間）停止させる制御に移行してしまうことになる。
【００７４】
本実施の形態では、室内ユニット２ａ，２ｂ側の空調負荷が変化して凝縮器として機能している室外熱交換器４を蒸発器として機能させる際、制御装置４０は、圧縮機３の吐出冷媒圧力が、圧縮機停止の圧力に至らないように、圧縮機３の容量を制御するものである。
【００７５】
以下、凝縮器として機能している室外熱交換器４を蒸発器として機能させる際の制御装置４０の動作について、図４に示す制御フローチャートを参照しながら説明する。ここで、凝縮器として機能している室外熱交換器４を蒸発器として機能させる際とは、室外熱交換器４が凝縮器として機能しており、熱交換器冷却期間に移行する直前、熱交換器冷却期間、及び室外熱交換器４ａ，４ｂを蒸発器として機能させる制御を行ってから冷媒の熱バランスが安定するまでの過渡期間を含んでいる。
【００７６】
まず、制御装置４０は、室外熱交換器４が凝縮器として機能しており、熱交換器冷却期間に移行する直前に、クラッチ３１がオン状態であるか否かを判断する（ステップＳ１）。
【００７７】
クラッチ３１がオン状態である場合（ステップＳ１；Ｙｅｓ）、制御装置４０は、ガスエンジン３０の回転数を所定回転数ｒ０（例えば、１２００ｒｐｍ）以下に制限する（ステップＳ２）。つまり、クラッチ３１をオンオフ操作できる所定回転数ｒ０にまでガスエンジン３０の回転数を低下させている。ここで、ガスエンジン３０の回転数は、所定回転数ｒ０よりも小さく空調性を損なわない値である第２の所定回転数ｒ１（例えば、８００ｒｐｍ）以上であるのが好ましい。つまり、ガスエンジン３０の回転数は、第２の所定回転数ｒ１以上であり、所定回転数ｒ０以下であるのが好ましい。
【００７８】
次に、制御装置４０は、ガスエンジン３０の回転数が所定回転数ｒ０以下に制限された状態で、クラッチ３１をオフにする（ステップＳ３）。
【００７９】
つまり、制御装置４０は、圧縮機３の容量を、圧縮機３の吐出冷媒圧力が圧縮機停止の圧力に至らない所定容量以下に制限すべく、ガスエンジン３０の回転数を所定回転数ｒ０以下にし、且つ、クラッチ３１をオフにしている。圧縮機３の吐出冷媒圧力が圧縮機停止の圧力に至らない所定容量は、圧縮機３の最大容量２×Ｐの半分以下に設定するのが好ましい。更に、クラッチ３１のオフにする関係上、ガスエンジン３０の回転数を所定回転数ｒ０以下に設定するのが好ましいので、圧縮機３の吐出冷媒圧力が圧縮機停止の圧力に至らない所定容量は、クラッチ３１がオフ状態であり、且つ、ガスエンジン３０の回転数が所定回転数ｒ０のときの圧縮機３の容量に設定するのがより好ましい。
【００８０】
このように、本実施の形態では、室外熱交換器４が凝縮器として機能しており、熱交換器冷却期間に移行する直前にクラッチ３１がオン状態の場合、ガスエンジン３０の回転数を所定回転数ｒ０以下にし、且つ、クラッチ３１をオフにしている。
【００８１】
そして、制御装置４０は、吐出側電磁弁２１ａ，２１ｂ及び吸込側電磁弁２２ａ，２２ｂを閉弁制御し、室外電子膨張弁２７ａ，２７ｂを略全閉（全閉を含む。）に制御することで室外熱交換器４ａ，４ｂの冷媒出入口を閉鎖し、室外熱交換器４ａ，４ｂに隣接配置した室外ファン５により室外熱交換器４ａ，４ｂ内の冷媒を外気温（例えば、２０℃）程度にまで冷却させる。
【００８２】
次に、制御装置４０は、室外熱交換器４ａ，４ｂを蒸発器として機能させるべく、吸込側電磁弁２２ａ，２２ｂを開弁制御し、室外電子膨張弁２７ａ，２７ｂの開度を制御する。ここで、圧縮機３の容量は、圧縮機３の吐出冷媒圧力が圧縮機停止の圧力に至らない所定容量以下に制限されているので、圧縮機３が所定時間（例えば、３分間）に亘って停止する制御に移行することはない。これによって、圧縮機３が所定時間に亘って停止する制御に移行するのを回避できるので、室外熱交換器４ａ，４ｂを蒸発器として機能させた後、速やかに冷媒の熱バランスを回復することができ、空調性を確保することができる。
【００８３】
ここで、制御装置４０は、室外熱交換器４ａ，４ｂを蒸発器として機能させる制御を行ってから冷媒の熱バランスが安定するまでの過渡期間が経過した場合、室内ユニット２ａ，２ｂ側の空調負荷に応じて圧縮機３の容量（つまり、ガスエンジン３０の回転数、及びクラッチ３１のオンオフ）を制御する。
【００８４】
次に、ステップＳ１において、クラッチ３１がオフ状態である場合（ステップＳ１；Ｎｏ）、まず、制御装置４０は、熱交換器冷却期間に亘って室外熱交換器４ａ，４ｂの冷媒出入口を閉鎖し、室外熱交換器４ａ，４ｂに隣接配置した室外ファン５により室外熱交換器４ａ，４ｂ内の冷媒を外気温程度にまで冷却させる。
【００８５】
次に、熱交換器冷却期間経過後、制御装置４０は、室外熱交換器４ａ，４ｂを蒸発器として機能させるべく、吸込側電磁弁２２ａ，２２ｂを開弁制御し、室外電子膨張弁２７ａ，２７ｂの開度を制御する。そして、制御装置４０は、室外熱交換器４ａ，４ｂを蒸発器として機能させる制御を行ってから冷媒の熱バランスが安定するまでの過渡期間中、第１の圧縮機３ａ及び第２の圧縮機３ｂの冷媒の吐出側における冷媒吐出管７の吐出冷媒圧力が、圧縮機停止の圧力に至るのが予測される所定圧力以上であるか否かを判断する（ステップＳ４）。この所定圧力は、圧縮機停止の圧力（例えば、２．８ＭＰａ）よりも低い値（例えば、１．５ＭＰａ）に設定されている。
【００８６】
吐出冷媒圧力が、所定圧力以上である場合（ステップＳ４；Ｙｅｓ）、制御装置４０は、ガスエンジン３０の回転数を所定回転数ｒ０以下に制限する（ステップＳ５）。
【００８７】
つまり、制御装置４０は、圧縮機３の容量を、圧縮機３の吐出冷媒圧力が圧縮機停止の圧力に至らない所定容量以下に制限すべく、ガスエンジン３０の回転数を所定回転数ｒ０以下に設定している。ここで、ガスエンジン３０の回転数は、所定回転数ｒ０よりも小さく空調性を損なわない値である第２の所定回転数ｒ１（例えば、８００ｒｐｍ）以上であるのが好ましい。つまり、ガスエンジン３０の回転数は、第２の所定回転数ｒ１以上であり、所定回転数ｒ０以下であるのが好ましい。
【００８８】
ここで、圧縮機３の容量が、圧縮機３の吐出冷媒圧力が圧縮機停止の圧力に至らない所定容量以下に制限されるので、圧縮機３が所定時間に亘って停止する制御に移行することはない。これによって、圧縮機３が所定時間に亘って停止する制御に移行するのを回避できるので、室外熱交換器４ａ，４ｂを蒸発器として機能させた後、速やかに冷媒の熱バランスを回復することができ、空調性を確保することができる。
【００８９】
ステップＳ４において、吐出冷媒圧力が、所定圧力未満である場合（ステップＳ４；Ｎｏ）、吐出冷媒圧力が、圧縮機停止の圧力に至ることはないので、制御装置４０は、ガスエンジン３０の回転数を所定回転数以下に制限する制御は行わない。
【００９０】
過渡期間経過後、制御装置４０は、室内ユニット２ａ，２ｂ側の空調負荷に応じて圧縮機３の容量（つまり、ガスエンジン３０の回転数、及びクラッチ３１のオンオフ）を制御する。
【００９１】
以上、第１の実施の形態によれば、凝縮器として機能している室外熱交換器４ａ，４ｂを蒸発器として機能させる際に、クラッチ３１がオン状態である場合、クラッチ３１をオンオフ操作できる所定回転数ｒ０以下にガスエンジン３０の回転数を制限し、ガスエンジン３０の回転数が所定回転数ｒ０以下に制限された状態で、クラッチ３１をオフにすることから、クラッチ３１の長寿命化を図ることができる。更に、圧縮機３が所定時間に亘って停止する制御に移行するのを回避できるので、冷媒の熱バランスを回復することができ、空調性を確保することができる。
【００９２】
また、第１の実施の形態によれば、凝縮器として機能している室外熱交換器４ａ，４ｂを蒸発器として機能させる際に、クラッチ３１がオフ状態である場合、第１の圧縮機３ａ及び第２の圧縮機３ｂの冷媒の吐出側における冷媒吐出管７の吐出冷媒圧力が、圧縮機停止の圧力に至るのが予測される所定圧力以上であるか否かを判断し、この判断の結果、吐出冷媒圧力が所定圧力以上である場合、ガスエンジン３０の回転数を所定回転数ｒ０以下に制限することから、圧縮機３が所定時間に亘って停止する制御に移行するのを回避できるので、冷媒の熱バランスを回復することができ、空調性を確保することができる。
【００９３】
［２］第２の実施の形態
図５は、第２の実施の形態を示し、凝縮器として機能している室外熱交換器を蒸発器として機能させる際の制御装置の動作を示すフローチャートである。第１の実施の形態と異なる点は、凝縮器として機能している室外熱交換器４を蒸発器として機能させる際の制御装置による制御である。尚、空気調和装置の構成は、第１の実施の形態における図１及び図２と同様である。
【００９４】
以下、凝縮器として機能している室外熱交換器４を蒸発器として機能させる際の制御装置１４０の動作について、図５に示す制御フローチャートを参照しながら説明する。ここで、凝縮器として機能している室外熱交換器４を蒸発器として機能させる際とは、上記第１の実施の形態と同様に、室外熱交換器４が凝縮器として機能しており、熱交換器冷却期間に移行する直前、熱交換器冷却期間、及び室外熱交換器４ａ，４ｂを蒸発器として機能させる制御を行ってから冷媒の熱バランスが安定するまでの過渡期間を含んでいる。
【００９５】
まず、制御装置１４０は、室外熱交換器４が凝縮器として機能しており、熱交換器冷却期間に移行する直前に、クラッチ３１がオン状態であるか否かを判断する（ステップＳ１１）。
【００９６】
クラッチ３１がオン状態である場合（ステップＳ１１；Ｙｅｓ）、まず、制御装置１４０は、熱交換器冷却期間に亘って室外熱交換器４ａ，４ｂの冷媒出入口を閉鎖し、室外熱交換器４ａ，４ｂに隣接配置した室外ファン５により室外熱交換器４ａ，４ｂ内の冷媒を外気温（例えば、２０℃）程度にまで冷却させる。
【００９７】
次に、熱交換器冷却期間経過後、制御装置１４０は、室外熱交換器４ａ，４ｂを蒸発器として機能させるべく、吸込側電磁弁２２ａ，２２ｂを開弁制御し、室外電子膨張弁２７ａ，２７ｂの開度を制御する。そして、制御装置１４０は、室外熱交換器４ａ，４ｂを蒸発器として機能させる制御を行ってから冷媒の熱バランスが安定するまでの過渡期間中、第１の圧縮機３ａ及び第２の圧縮機３ｂの冷媒の吐出側における冷媒吐出管７の吐出冷媒圧力が、圧縮機停止の圧力に至るのが予測される所定圧力以上であるか否かを判断する（ステップＳ１２）。この所定圧力は、圧縮機停止の圧力（例えば、２．８ＭＰａ）よりも低い値（例えば、１．５ＭＰａ）に設定されている。
【００９８】
吐出冷媒圧力が、所定圧力以上である場合（ステップＳ１２；Ｙｅｓ）、制御装置１４０は、ガスエンジン３０の回転数を所定回転数ｒ０（例えば、１２００ｒｐｍ）以下に制限する（ステップＳ１３）。つまり、クラッチ３１をオンオフ操作できる所定回転数ｒ０にまでガスエンジン３０の回転数を低下させている。ここで、ガスエンジン３０の回転数は、所定回転数ｒ０よりも小さく空調性を損なわない値である第２の所定回転数ｒ１（例えば、８００ｒｐｍ）以上であるのが好ましい。つまり、ガスエンジン３０の回転数は、第２の所定回転数ｒ１以上であり、所定回転数ｒ０以下であるのが好ましい。
【００９９】
次に、制御装置１４０は、ガスエンジン３０の回転数が所定回転数ｒ０以下に制限された状態で、クラッチ３１をオフにする（ステップＳ１４）。
【０１００】
つまり、制御装置１４０は、圧縮機３の容量を、圧縮機３の吐出冷媒圧力が圧縮機停止の圧力に至らない所定容量以下に制限すべく、ガスエンジン３０の回転数を所定回転数ｒ０以下にし、且つ、クラッチ３１をオフにしている。圧縮機３の吐出冷媒圧力が圧縮機停止の圧力に至らない所定容量は、圧縮機３の最大容量２×Ｐの半分以下に設定するのが好ましい。更に、クラッチ３１のオフにする関係上、ガスエンジン３０の回転数を所定回転数ｒ０以下に設定するのが好ましいので、圧縮機３の吐出冷媒圧力が圧縮機停止の圧力に至らない所定容量は、クラッチ３１がオフ状態であり、且つ、ガスエンジン３０の回転数が所定回転数ｒ０のときの圧縮機３の容量に設定するのがより好ましい。
【０１０１】
ここで、圧縮機３の容量が、圧縮機３の吐出冷媒圧力が圧縮機停止の圧力に至らない所定容量以下に制限されるので、圧縮機３が所定時間に亘って停止する制御に移行することはない。これによって、圧縮機３が所定時間に亘って停止する制御に移行するのを回避できるので、室外熱交換器４ａ，４ｂを蒸発器として機能させた後、速やかに冷媒の熱バランスを回復することができ、空調性を確保することができる。
【０１０２】
ステップＳ１２において、吐出冷媒圧力が、所定圧力未満である場合（ステップＳ１２；Ｎｏ）、吐出冷媒圧力が、圧縮機停止の圧力（例えば、２．８ＭＰａ）に至ることはないので、制御装置１４０は、ガスエンジン３０の回転数を所定回転数以下に制限する制御、及びクラッチ３１をオフにする制御は行わない。
【０１０３】
次に、ステップＳ１１において、クラッチ３１がオフ状態である場合（ステップＳ１１；Ｎｏ）、まず、制御装置１４０は、熱交換器冷却期間に亘って室外熱交換器４ａ，４ｂの冷媒出入口を閉鎖し、室外熱交換器４ａ，４ｂに隣接配置した室外ファン５により室外熱交換器４ａ，４ｂ内の冷媒を外気温（例えば、２０℃）程度にまで冷却させる。
【０１０４】
次に、熱交換器冷却期間経過後、制御装置１４０は、室外熱交換器４ａ，４ｂを蒸発器として機能させるべく、吸込側電磁弁２２ａ，２２ｂを開弁制御し、室外電子膨張弁２７ａ，２７ｂの開度を制御する。そして、制御装置１４０は、室外熱交換器４ａ，４ｂを蒸発器として機能させる制御を行ってから冷媒の熱バランスが安定するまでの過渡期間中、第１の圧縮機３ａ及び第２の圧縮機３ｂの冷媒の吐出側における冷媒吐出管７の吐出冷媒圧力が、圧縮機停止の圧力に至るのが予測される所定圧力以上であるか否かを判断する（ステップＳ１５）。この所定圧力は、圧縮機停止の圧力よりも低い値に設定されている。
【０１０５】
吐出冷媒圧力が、所定圧力以上である場合（ステップＳ１５；Ｙｅｓ）、制御装置１４０は、ガスエンジン３０の回転数を所定回転数ｒ０以下に制限する（ステップＳ１６）。
【０１０６】
つまり、制御装置１４０は、圧縮機３の容量を、圧縮機３の吐出冷媒圧力が圧縮機停止の圧力に至らない所定容量以下に制限すべく、ガスエンジン３０の回転数を所定回転数ｒ０以下に設定している。ここで、ガスエンジン３０の回転数は、所定回転数ｒ０よりも小さく空調性を損なわない値である第２の所定回転数ｒ１以上であるのが好ましい。つまり、ガスエンジン３０の回転数は、第２の所定回転数ｒ１以上であり、所定回転数ｒ０以下であるのが好ましい。
【０１０７】
ここで、圧縮機３の容量が、圧縮機３の吐出冷媒圧力が圧縮機停止の圧力に至らない所定容量以下に制限されるので、圧縮機３が所定時間に亘って停止する制御に移行することはない。これによって、圧縮機３が所定時間に亘って停止する制御に移行するのを回避できるので、室外熱交換器４ａ，４ｂを蒸発器として機能させた後、速やかに冷媒の熱バランスを回復することができ、空調性を確保することができる。
【０１０８】
ステップＳ１５において、吐出冷媒圧力が、所定圧力未満である場合（ステップＳ１５；Ｎｏ）、吐出冷媒圧力が、圧縮機停止の圧力に至ることはないので、制御装置１４０は、ガスエンジン３０の回転数を所定回転数以下に制限する制御は行わない。
【０１０９】
以上、クラッチ３１のオンオフの状態にかかわらず、ステップＳ１２或いはＳ１５において、圧縮機３の吐出冷媒圧力が所定圧力以上であるか否かが判断されることとなる。
【０１１０】
そして、吐出冷媒圧力が所定圧力以上である場合、ガスエンジン３０の回転数が所定回転数ｒ０以下に制限され、更に、クラッチ３１がオン状態である場合は、クラッチ３１がオフに制御されることとなる。
【０１１１】
過渡期間経過後、制御装置１４０は、室内ユニット２ａ，２ｂ側の空調負荷に応じて圧縮機３の容量（つまり、ガスエンジン３０の回転数、及びクラッチ３１のオンオフ）を制御する。
【０１１２】
以上、第２の実施の形態によれば、吐出冷媒圧力が所定圧力以上である場合、ガスエンジン３０の回転数を所定回転数以下に制限し、更に、クラッチ３１がオン状態である場合は、クラッチ３１をオフにする制御を行うので、クラッチ３１の長寿命化を図ることができ、また、圧縮機３が所定時間に亘って停止する制御に移行するのを回避できるので、冷媒の熱バランスを回復することができ、空調性を確保することができる。
【０１１３】
以上、本発明を上記実施の形態に基づいて説明したが、本発明はこれに限定されるものではない。
【０１１４】
例えば、上記実施の形態では、第１の圧縮機が１台、第２の圧縮機が１台の場合について説明したが、第１の圧縮機が複数台の場合であってもよいし、第２の圧縮機が複数台の場合であってもよい。
【０１１５】
また、上記実施の形態では、冷媒吐出管に圧力センサを設け、吐出冷媒圧力を検出する場合について説明したが、冷媒吐出管に温度センサを設け、この温度センサによる温度検出結果に基づいて吐出冷媒圧力を算出するようにしてもよい。
【０１１６】
また、上記実施の形態では、室外熱交換器が複数台の場合について説明したが、室外熱交換器が１台の場合であってもよい。
【０１１７】
また、上記実施の形態では、複数台の室外熱交換器全てが、凝縮器として機能しており、複数台の室外熱交換器全てを蒸発器として機能させる場合について説明したが、休止状態の室外熱交換器があってもよい。
【０１１８】
【発明の効果】
本発明によれば、凝縮器として機能している室外熱交換器を蒸発器として機能させる際に、圧縮機の吐出冷媒圧力が圧縮機停止の圧力にまで上昇するのを回避することができ、空調性を確保することができる。
【図面の簡単な説明】
【図１】本発明による空気調和装置の第１及び第２の実施の形態を示す冷媒回路図等である。
【図２】圧縮機の駆動系を示すブロック図である。
【図３】圧縮機の容量制御を示すグラフである。
【図４】第１の実施の形態における凝縮器として機能している室外熱交換器を蒸発器として機能させる際の制御装置の動作を示すフローチャートである。
【図５】第２の実施の形態における凝縮器として機能している室外熱交換器を蒸発器として機能させる際の制御装置の動作を示すフローチャートである。
【符号の説明】
１  室外ユニット
２ａ，２ｂ  室内ユニット
３  圧縮機
３ａ  第１の圧縮機
３ｂ  第２の圧縮機
４  室外熱交換器
１０  ユニット間配管
１１  高圧ガス管
１２  低圧ガス管
１３  液管
３０  ガスエンジン（エンジン）
３１  クラッチ
４０  制御装置（第１の制御手段、第２の制御手段、第３の制御手段、圧力判断手段）
５０  空気調和装置
１４０  制御装置（圧力判断手段、第１の制御手段、第２の制御手段）
【図１】
2005009726.tif 000003
【図２】
2005009726.tif 000004
【図３】
2005009726.tif 000005
【図４】
2005009726.tif 000006
【図５】
2005009726.tif 000007